(57)【特許請求の範囲】
【請求項１】
箱本体と、
前記箱本体から突出して設けられ、複数の電線を前記箱本体の外部に引き出す筒状の通し部と、を備え、
前記複数の電線が前記通し部の内側に通された状態で、固定部材が前記通し部から前記複数の電線に亘って連続して巻きつけられる電気接続箱において、
前記通し部には、前記通し部の外方向に向かって凸に形成された、前記固定部材が位置ずれすることを防止するリブが設けられ、
前記通し部の先端側には、前記固定部材が巻かれる巻き落とし部が設けられ、
前記リブが、前記巻き落とし部において、前記通し部の先端を避けた位置に設けられていることを特徴とする電気接続箱。
【発明の詳細な説明】
【技術分野】
【０００１】
本発明は、自動車のエンジンルーム内に取り付けられる電気接続箱に関するものである。
【背景技術】
【０００２】
移動体としての自動車には、多種多様な電子機器が搭載されている。これら多種多様な電子機器に電力を供給するために、前記自動車には、電源と前記電子機器との間の適宜箇所に、コネクタ、リレー、ヒューズ等の電気部品が集約されて構成された電気接続箱が配置されている。
【０００３】
なお、電気接続箱は、ジャンクションブロック、ヒューズブロック、リレーボックス、とも呼ばれる。本明細書では、前述したジャンクションブロック、ヒューズブロック、リレーボックスを、総称して以下電気接続箱と呼ぶ。
【０００４】
図６は、従来の電気接続箱を示す上面図である。図７は、図６に示された従来の電気接続箱を構成する通し部を示す拡大図である。図８は、図６に示された従来の電気接続箱を構成する通し部に電線が通されて、粘着テープが巻かれた状態を示す断面図である。図６に示された、従来の電気接続箱１０１は、箱状に形成されてその内側に各種電気部品（図示しない）が収容される箱本体１０２と、該箱本体１０２から突出して設けられ、複数の電線７を箱本体１０２の外部に引き出す筒状の通し部１０６と、を備えている。
【０００５】
上記通し部１０６には、図７、図８に示すように、前記複数の電線７が前記通し部１０６の内側に通された状態で、固定部材としての粘着テープ８が前記通し部１０６と前記複数の電線７との外周に、前記通し部１０６から前記複数の電線７に亘って隙き間なく連続して巻きつけられている。
【０００６】
また、前記通し部１０６には、該通し部１０６の外方向に向かって凸に設けられたリブ１６６が設けられている。上記リブ１６６は、前記通し部１０７の前記箱本体１０２から離れた端部１０６ａに設けられている（例えば、特許文献１を参照）。
【先行技術文献】
【特許文献】
【０００７】
【特許文献１】実開平４−９３４２３号公報
【発明の概要】
【発明が解決しようとする課題】
【０００８】
しかしながら、上述した従来の電気接続箱１０１においては、以下に示す問題があった。即ち、従来の電気接続箱１０１にはリブ１６６が設けられており、前記リブ１６６は、通し部１０６の前記箱本体１０２から離れた端部１０６ａに設けられているので、リブ１６６が前記端部１０６ａに設けられていない場合と比較すると、前記リブ１６６と電線７との落差（段差）が大きくなり、よって、前記段差が大きくなることで、前記固定部材としての粘着テープ８を前記通し部１０６と前記複数の電線７との外周に、前記通し部１０６から前記複数の電線７に亘って隙き間なく連続して巻きつけることが難しく、粘着テープ８と複数の電線７との間に生じた隙き間により、防水性が低下したり、そこから粘着テープ８がはがれたり、最悪の場合には、前記固定部材としての粘着テープ８が破れてしまうことも考えられる。
【０００９】
そこで、本発明は、上記のような問題点に着目し、固定部材が、通し部から複数の電線に亘って、容易に巻きつけられることで、防水性の強化を図った電気接続箱を提供することを目的とする。
【課題を解決するための手段】
【００１０】
請求項１に記載の本発明は、箱本体と、前記箱本体から突出して設けられ、複数の電線を前記箱本体の外部に引き出す筒状の通し部と、を備え、前記複数の電線が前記通し部の内側に通された状態で、固定部材が前記通し部から前記複数の電線に亘って連続して巻きつけられる電気接続箱において、前記通し部には、前記通し部の外方向に向かって凸に形成された、前記固定部材が位置ずれすることを防止するリブが設けられ、前記通し部の先端側には、前記固定部材が巻かれる巻き落とし部が設けられ、前記リブが、前記巻き落とし部において、前記通し部の先端を避けた位置に設けられていることを特徴とする。
【発明の効果】
【００１１】
請求項１に記載の本発明によれば、箱本体と、前記箱本体から突出して設けられ、複数の電線を前記箱本体の外部に引き出す筒状の通し部と、を備え、前記複数の電線が前記通し部の内側に通された状態で、固定部材が前記通し部から前記複数の電線に亘って連続して巻きつけられる電気接続箱において、前記通し部には、前記通し部の外方向に向かって凸に形成された、前記固定部材が位置ずれすることを防止するリブが設けられ、前記リブは、前記通し部の前記箱本体から離れた端部から離間した位置に設けられているので、前記リブが、前記通し部の前記箱本体から離れた前記端部に設けられた際よりも前記通し部と前記複数の電線との落差（段差）を、小さくすることとなり、よって、落差（段差）を小さくすることで、前記粘着テープが、容易に、前記通し部から前記複数の電線に亘って隙き間なく連続して巻きつけられることとなり、よって、防水性の強化を図った電気接続箱を提供することができる。
【図面の簡単な説明】
【００１２】
【図１】本発明の一実施の形態にかかる電気接続箱を示す斜視図である。
【図２】図１に示された電気接続箱の上面図である。
【図３】図１に示された電気接続箱を構成する通し部を示す拡大図である。
【図４】図１に示された電気接続箱を構成する通し部に複数の電線が通された状態を示す斜視図である。
【図５】図１に示された電気接続箱を構成する通し部に複数の電線が通されて、粘着テープが巻かれた状態を示す断面図である。
【図６】従来の電気接続箱を示す上面図である。
【図７】図６に示された従来の電気接続箱を構成する通し部を示す拡大図である
【図８】図６に示された従来の電気接続箱を構成する通し部に複数の電線が通されて、粘着テープが巻かれた状態を示す断面図である。
【発明を実施するための形態】
【００１３】
以下、本発明の一実施の形態にかかる電機接続箱を、図１乃至図５に基づいて説明する。図１などに示された電気接続箱１は、自動車のエンジンルームなどに取り付けられて、前記自動車に搭載された多種多様な電子部品に電力を供給するものである。また、本明細書では、ジャンクションブロック、ヒューズブロック、リレーボックスを、総称して以下電気接続箱１と呼ぶ。
【００１４】
上記電気接続箱１は、図１、図２に示すように、複数の電気部品が収容される箱本体２と、該箱本体２から突出して設けられ、複数の電線７を前記箱本体２の外部に引き出す筒状の通し部６と、前記通し部６に設けられ、前記通し部６の外方向に向かって凸に形成されたリブ６６と、を備えている。また、前記通し部６には、前記複数の電線７が前記通し部６の内側に通された状態で、固定部材としての粘着テープ８が前記通し部６と前記複数の電線７との外周に、前記通し部６から前記複数の電線７に亘って隙き間なく連続して巻きつけられる。
【００１５】
箱本体２は、筒状に形成された本体部３と、前記本体部３の上面を覆うように該本体部３に着脱自在に取り付けられるアッパーカバー（図示しない）と、前記本体部３の（前記上面から離れた側の）下面を覆うように該本体部３に着脱自在に取り付けられるロアカバー４と、を備えている。また、箱本体２には、複数の電気部品が合成樹脂製のカセットブロック５に装着されて収容されている。なお、図１においては、アッパーカバーは取り外された状態を示している。また、図１などに示す矢印Ｋは、本体部３にカバー４が、近付く方向、及び、離れる方向を示している。
【００１６】
上記本体部３は、合成樹脂で構成され、周知の射出成型により形成されている。本体部３には、アッパーカバーの後述するロック部に係止するロック受け部３１と、ロアカバー４の後述する係止部４１に係止する係止受け部３２と、が設けられている。
【００１７】
上記アッパーカバーは、絶縁性の合成樹脂からなりかつ、周知の射出成形により有底筒状に成形される。アッパーカバーには、ロック部（図示しない）が設けられている。
【００１８】
上記ロアカバー４は、絶縁性の合成樹脂からなりかつ、周知の射出成形により有底筒状に成形される。ロアカバー４には、複数の係止部４１が設けられている。
【００１９】
上記通し部６は、一端が各電気部品に接続された複数の電線７の他端側が通されることで、該他端側を箱本体２の外部に引き出している。また、通し部６は、箱本体２の内部と外部とに亘って連通している。また、図４、図５などに示すように、通し部６の後述する巻き落とし部６１Ｂ、６２Ｂ、ベラ６５と、前記複数の電線７との外周には、粘着テープ８が隙き間なく連続して巻きつけられる（巻き落とされる）。
【００２０】
前記通し部６は、図３、図４などに示すように、本体部３の前記下面の縁から樋状に立設した樋状部６０と、前記下面の縁に重ねられるロアカバー４の縁から立設した底壁部６３と、を備えている。また、本体部３にロアカバー４が取り付けられると、樋状部６０と、底壁部６３との周方向の縁同士が重ねられて四角筒状に形成された通し部６を構成する。
【００２１】
上記樋状部６０は、板状の天壁部６１と、天壁部６１の周方向の両縁から板状に立設する、一対の側壁部６２と、を備えている。
【００２２】
上記天壁部６１は、矢印Ｋ方向のアッパーカバー側に設けられている。また、天壁部６１は、本体部３に連なる基部６１Ａと、前記基部６１Ａの箱本体２から離れた側に連なる第１巻き落とし部６１Ｂと、を備えている。上記第１巻き落とし部６１Ｂは、図４に示すように、前記第１巻き落とし部６１Ｂの箱本体２寄りの端部（以下、基端部と記す）から、前記第１巻き落とし部６１Ｂ（前記通し部６）の箱本体２から離れた端部（以下、先端部と記す）６ａに向かうにしたがって、矢印Ｋのアッパーカバーに近付く方向（ロアカバー４から離れる方向）に傾斜するように設けられている。
【００２３】
上記一対の側壁部６２それぞれは、基部６１Ａに連なる基部６２Ａと、前記基部６２Ａと前記第１巻き落とし部６１Ｂとの双方に連なる第２巻き落とし部６２Ｂと、を備えている。また、図３に示すように、各第２巻き落とし部６２Ｂの天壁部６１から離れた縁は、通し部６の前記基端部から先端部６ａに向かうにしたがって、矢印Ｋの天壁部６１に近付く方向に切り欠かれている。こうして、通し部６は、該通し部６の先端部６ａに向かうにしたがって徐々に先細となるように形成されている。
【００２４】
上記底壁部６３は、ロアカバー４に連なり、基部６１Ａと相対する位置に設けられた撓み部６４と、前記撓み部６４に連なり前記第１巻き落とし部６１Ｂと相対する位置に設けられたベラ６５と、を備えている。
【００２５】
上記撓み部６４は、該撓み部６４の厚みがベラ６５よりも薄く形成されており、前記撓み部６４は、矢印Ｋに沿って弾性変形自在に形成されている。即ち、撓み部６４は、通し部６の内方向と外方向（矢印Ｋ方向）との双方に弾性変形自在に形成されている。また、撓み部６４が弾性変形していない状態（即ち、中立状態）の通し部６の内径は、複数の電線７の電線径が最も小さい場合に合わせて形成されている。また、撓み部６４が弾性変形していない状態（即ち、中立状態）では、ベラ６５の周方向の縁と各第２巻き落とし部６２Ｂの各縁とが重ねられている。また、撓み部６４が、通し部６の外方向（矢印Ｋ方向）に弾性変形した状態では、ベラ６５の周方向の縁と各第２巻き落とし部６２Ｂの各縁とは互いに重ねられることなく、該ベラ６５は、複数の電線７によって、通し部６の内径が拡径する方向（矢印Ｋ方向）に押し拡げられている。
【００２６】
上記リブ６６は、図４、図５などに示すように、巻き落とし部６１Ｂ、６２Ｂとベラ６５との全周に亘って設けられており、前記通し部６の前記先端部６ａから離間した位置から箱本体２に向かって、互いに間隔をあけて複数設けられている。即ち、リブ６６は、前記通し部６の前記先端部６ａには設けられていない。また、リブ６６の外周には、前記粘着テープ８が巻きつけられて、前記リブ６６は、前記粘着テープ８が位置ずれすることを防止する。
【００２７】
上述した電気接続箱１の組立手順について説明する。まず、各電線７の一端が接続された各電気部品をカセットブロック５に装着して、各電気部品が装着されたカセットブロック５を本体部３に収容する。または、各電気部品が装着されたカセットブロック５を本体部３に収容した後、各電線７の一端を各電気部品に接続してもよい。そして、各電気部品に接続された複数の電線７の他端側を本体部３の外部に引き出す。次に、複数の電線７の他端側が本体部３の外部に引き出された状態で、本体部３の下面を覆うようにロアカバー４を近付ける。すると、樋状部６０と底壁部６３との周方向の縁同士が重ねられるとともに、ロアカバー４の係止部４１が本体部３の係止受け部３２に係止することで、通し部６が組み立てられる（図４に示す）。この際、通し部６の内側には、一端が各電気部品に接続され、他端側が本体部３（箱本体２）の外部に引き出された複数の電線７が通されている。さらに、前記複数の電線７が前記通し部６の内側に通された状態で、固定部材としての粘着テープ８を、巻き落とし部６１Ｂ、６２Ｂ、底壁部６３のベラ６５と複数の電線７との外周に、巻き落とし部６１Ｂ、６２Ｂ、底壁部６３のベラ６５から、複数の電線７に亘って隙き間なく連続して巻きつける。この際、巻き落とし部６１Ｂ、６２Ｂ、底壁部６３のベラ６５にはリブ６６が設けられているので、該リブ６６の外周には、粘着テープ８が巻きつけられていることとなる。最後に、アッパーカバーのロック部が本体部３のロック受け部３１に嵌まることで、箱本体２が組み立てられる、と同時に、電気接続箱１が完成する。
【００２８】
上述した実施形態によれば、箱本体２と、前記箱本体２から突出して設けられ、複数の電線７を前記箱本体２の外部に引き出す筒状の通し部６と、を備え、前記複数の電線７が前記通し部６の内側に通された状態で、固定部材としての粘着テープ８が前記通し部６から前記複数の電線７に亘って連続して巻きつけられる電気接続箱１において、前記通し部６には、前記通し部６の外方向に向かって凸に形成された、前記固定部材としての粘着テープ８が位置ずれすることを防止するリブ６６が設けられ、前記リブ６６は、前記通し部６の前記箱本体２から離れた端部（先端部）６ａから離間した位置に設けられているので、前記リブ６６が、前記通し部６の前記箱本体２から離れた前記端部（先端部）６ａに設けられた際よりも前記通し部６と前記複数の電線７との落差（段差）を、小さくすることとなり、よって、落差（段差）を小さくすることで、前記粘着テープ８が、容易に、前記通し部６から前記複数の電線７に亘って隙き間なく連続して巻きつけられることとなり、よって、防水性の強化を図った電気接続箱１を提供することができる。
【００２９】
なお、上述した実施形態によれば、リブ６６は、通し部６の先端部６ａから離間した位置に、該通し部６の全周に亘って設けられているが、本発明はこれに限ったものではなく、リブ６６は、通し部６の先端部６ａから離間した位置に設けられていれば、該通し部６の全周に亘って設けられていなくてもよい。即ち、リブ６６は、通し部６の先端部６ａから離間した位置に設けられていれば、該通し部６の一部に設けられていればよい。
【００３０】
また、上述した実施形態によれば、通し部６は、本体部３から立設した樋状部６０とロアカバー４から立設した底壁部６３とによって構成されている、即ち、通し部６は、箱本体２と一体に設けられているが、本発明はこれに限ったものではなく、通し部６は、例えば、箱本体２に組み付けられるサイドカバーに設けられた、箱本体２と別体に設けられた部材であってもよい。
【００３１】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３２】
１  電気接続箱
２  箱本体
６  通し部
６ａ  先端部（端部）
６６  リブ
７  電線
８  粘着テープ（固定部材）
【図１】
0005595811.tif 000002
【図２】
0005595811.tif 000003
【図３】
0005595811.tif 000004
【図４】
0005595811.tif 000005
【図５】
0005595811.tif 000006
【図６】
0005595811.tif 000007
【図７】
0005595811.tif 000008
【図８】
0005595811.tif 000009